(57)【要約】【課題】座席の移動を許容するための開孔を遮蔽する遮蔽ベルトを備えることによって、安全性、清掃の容易性、および美観に優れたトレーニング装置を実現することのできるトレーニング装置の座席部構造を提供すること。【解決手段】外装カバー２５の内部における開孔４１の近傍位置に、この開孔４１を前記外装カバー２５の内側から遮蔽する遮蔽ベルト部４２を配設したこと。【選択図】　　　図１
2004113410.tif 000002
【特許請求の範囲】
【請求項１】
使用者が着座した状態でトレーニングを行うための座席を、レール部に沿って移動可能に保持し、前記座席と前記レール部との間に、前記座席の移動を許容する開孔が形成された外装カバーを、前記レール部を被覆するように配設し、前記座席を前記レール部上の所定の位置に移動させることによって前記座席の位置を調整可能とされてなるトレーニング装置の座席部構造において、
前記外装カバーの内部における前記開孔の近傍位置に、この開孔を前記外装カバーの内側から遮蔽する遮蔽ベルト部を配設したことを特徴とするトレーニング装置の座席部構造。
【請求項２】
前記遮蔽ベルト部は、弾性を有するように形成され、かつ、張力を有した状態に配設されてなることを特徴とする請求項１に記載のトレーニング装置の座席部構造。
【請求項３】
前記遮蔽ベルト部は、ベルト本体と、このベルト本体に張力を付与する付勢部材とを備えてなることを特徴とする請求項１または請求項２に記載のトレーニング装置の座席部構造。
【請求項４】
前記遮蔽ベルト部は、前記座席に連結され、前記レール部上に摺動可能に保持されてなる摺動台座部にその一部を固定された環状に形成され、かつ、前記レール部における前記座席の移動方向の両端部の外側に配設された少なくとも一対のガイド部材の外周に巻回されてなることを特徴とする請求項１乃至請求項３のいずれか１項に記載のトレーニング装置の座席部構造。
【請求項５】
前記ガイド部材の外周に、前記遮蔽ベルト部の走行を補助するための摺動部材が摺動自在に保持されていることを特徴とする請求項４に記載のトレーニング装置の座席部構造。
【請求項６】
前記付勢部材は、前記ベルト本体への取り付けを容易に行い得る位置に配置されていることを特徴とする請求項３乃至請求項５のいずれか１項に記載のトレーニング装置の座席部構造。
【請求項７】
前記遮蔽ベルト部は、少なくとも１箇所で環状の状態から分解可能とされ、かつ、前記ガイド部材による折り返し部を境に上下に互いに対向する上側部分と下側部分とを有するように配設されるとともに、前記上側部分の一部を、前記摺動台座部に固定され、前記下側部分を、前記レール部に沿って長尺な管状に形成された前記レール部を下方から保持するレール基部の内部を通るように配設され、さらに、前記レール基部には、前記遮蔽ベルト部の組み立てや分解を行うための作業用の開孔が形成されてなることを特徴とする請求項４乃至請求項６のいずれか１項に記載のトレーニング装置の座席部構造。
【発明の詳細な説明】
【０００１】
【産業上の利用分野】
本発明は、トレーニング装置の座席部構造に係り、特に、使用者が着座した状態でトレーニングを行うトレーニング装置において、座席の位置調整を行うのに好適なトレーニング装置の座席部構造に関する。
【０００２】
【従来の技術】
従来から、リカンベント型と称される乗用車を運転するときと似た姿勢でペダルを介した足漕ぎ運動を行うトレーニング装置が採用されている。
【０００３】
このようなリカンベント型のトレーニング装置においては、使用者が座席に着座した状態で運動を行うのであるが、適正な姿勢で運動を行うためには、使用者の体型に合わせてペダルに対する座席の位置を調整することが必要となる。
【０００４】
図７は、このような座席の位置調整を行うための機構を備えたリカンベント型のトレーニング装置の一例を示したものであり、このトレーニング装置１は、装置本体の底部となるベース部２上における前脚部３が配設された前方側に、使用者が足漕ぎ運動を行うための駆動部７が配設されている。この駆動部７には、ペダル４をはじめとして、表示器５や、外装カバー６に覆われた電磁ブレーキ等からなる図示しない負荷装置等が配設されている。
【０００５】
一方、前記ベース部２上における後脚部９が配設された後方側には、使用者が着座するための座席１１を備えた座席部１０が配設されている。
【０００６】
前記ベース部２上における前記駆動部７と前記座席部１０との間には、トレーニング装置１に対する使用者の乗降を簡便に行わしめるための空間部１２が形成されている。
【０００７】
前記座席部１０は、外装カバー１３の内部に、前記ペダル４に遠近する方向に長尺とされたレール部１４を有しており、このレール部１４には、上部に前記座席１１が固定された座席受け部１６が、前記レール部１４の長手方向に沿って移動可能に支持されている。
【０００８】
前記座席受け部１６には、制動レバー１７が配設されており、この制動レバー１７によって前記座席受け部１６の移動を規制することによって、レール部１４上における座席１１の位置を固定することができるようになっている。
【０００９】
なお、この出願の発明に関連する先行技術情報としては次のものがある。
【００１０】
【非特許文献１】
インターネット＜ＵＲＬ：ｈｔｔｐ：／／ｗｗｗ．ｓｅｎｏｈ．ｃｏ．ｊｐ／Ｖ６０Ｒ／ＶＲ６０Ｄ．ｈｔｍ＞
【００１１】
【発明が解決しようとする課題】
ところで、このような座席１１の位置を調整する機構を備えた座席構造を採用する場合、座席１１をレール部１４に沿って移動させるには、レール部１４を被覆する外装カバー１３に、図７に示すような座席１１の移動を許容するための長孔状の開孔１８を形成する必要がある。
【００１２】
しかし、図７に示すように、従来は、前記開孔１８が露出されていたため、この開孔１８を通して座席部１０の内部に衣服や身体の一部が巻き込まれる虞があり、安全性という観点から問題があった。
【００１３】
また、開孔１８を通して塵埃が座席部１０の内部に入ってしまう場合があったため、装置１の清掃の際には、座席部１０の外装カバー１３を取り外して座席部１０内を開放しなければならず、清掃の際の労力が過大になるといった問題も生じていた。
【００１４】
さらに、露出状態の開孔１８によって装置１の美観が害されるといった問題も生じていた。
【００１５】
本発明は、このような問題点に鑑みなされたもので、開孔を遮蔽する遮蔽ベルトを備えることによって安全性、清掃の容易性、および美観に優れたトレーニング装置を実現することのできるトレーニング装置の座席部構造を提供することを目的とするものである。
【００１６】
【課題を解決するための手段】
前記目的を達成するため本発明の請求項１に係るトレーニング装置の座席部構造の特徴は、前記外装カバーの内部における前記開孔の近傍位置に、この開孔を前記外装カバーの内側から遮蔽する遮蔽ベルト部を配設した点にある。
【００１７】
そして、この請求項１に係る発明によれば、外装カバーの内部に配設された遮蔽ベルトによって、外装カバーに形成された座席の移動を許容するための開孔を外装カバーの内側から遮蔽することができるため、前記開孔が露出することを防止することが可能となる。
【００１８】
また、請求項２に係るトレーニング装置の座席部構造の特徴は、請求項１において、前記遮蔽ベルト部は、弾性を有するように形成され、かつ、張力を有した状態に配設されてなる点にある。
【００１９】
そして、この請求項２に係る発明によれば、遮蔽ベルト部を、自身の弾性を介して張力を有した状態に配設することができるため、簡易な構成によって開孔をさらに適正に遮蔽することが可能となり、弛んだ状態のベルトによって装置の美観が害されることを防止することが可能となる。
【００２０】
また、請求項３に係るトレーニング装置の座席部構造の特徴は、請求項１または請求項２において、前記遮蔽ベルト部が、ベルト本体と、このベルト本体に張力を付与する付勢部材とを備えてなる点にある。
【００２１】
そして、この請求項３に係る発明によれば、付勢部材によって遮蔽ベルト部に張力を付与することができるため、開孔をさらに適正に遮蔽することが可能となり、弛んだ状態のベルトによって装置の美観が害されることを防止することが可能となる。
【００２２】
また、請求項４に係るトレーニング装置の座席部構造の特徴は、請求項１乃至請求項３のいずれか１項において、前記遮蔽ベルト部は、前記座席に連結され、前記レール部上に摺動可能に保持されてなる摺動台座部にその一部を固定された環状に形成され、かつ、前記レール部における前記座席の移動方向の両端部の外側に配設された少なくとも一対のガイド部材の外周に巻回されてなる点にある。
【００２３】
そして、この請求項４に係る発明によれば、遮蔽ベルト部を、レール部の外側を周回する環状に形成し、なおかつ、座席と部分的に固定し、さらに、ガイド部材の外周に巻回保持することによって、前記遮蔽ベルト部が前記座席の移動にともなって前記レール部の外側を走行することができるため、前記座席の移動に合わせて前記遮蔽ベルト部によって最も効率的かつ自然な状態で開孔を遮蔽することが可能となる。
【００２４】
また、請求項５に係るトレーニング装置の座席部構造の特徴は、請求項４において、前記ガイド部材の外周に、前記遮蔽ベルトの走行を補助するための摺動部材が摺動自在に保持されている点にある。
【００２５】
そして、この請求項５に係る発明によれば、前記ガイド部材の外周に保持された摺動部材によって、遮蔽ベルト部の走行を円滑化することができるため、座席の移動に合わせて遮蔽ベルト部によって開孔を更に適正に遮蔽することが可能となり、かつ、遮蔽ベルト部の弛みをより有効に防止して装置の美観を維持することが可能となる。
【００２６】
また、請求項６に係るトレーニング装置の座席部構造の特徴は、請求項３乃至請求項５のいずれか１項において、前記付勢部材が、前記ベルト本体への取り付けを容易に行い得る位置に配置されている点にある。
【００２７】
そして、この請求項６に係る発明によれば、付勢部材の取り付けを容易に行うことが可能となり、ひいては、トレーニング装置の組立工数を削減することが可能となる。
【００２８】
また、請求項７に係るトレーニング装置の座席部構造の特徴は、請求項４乃至請求項６のいずれか１項において、前記遮蔽ベルト部が、少なくとも１箇所で環状の状態から分解可能とされ、かつ、前記ガイド部材による折り返し部を境に上下に互いに対向する上側部分と下側部分とを有するように配設されるとともに、前記上側部分の一部を、前記摺動台座部に固定され、前記下側部分を、前記レール部に沿って長尺な管状に形成された前記レール部を下方から保持するレール基部の内部を通るように配設され、さらに、前記レール基部には、前記遮蔽ベルト部の組み立てや分解を行うための作業用の開孔が形成されてなる点にある。
【００２９】
そして、この請求項７に係る発明によれば、前記レール基部を管状に形成してその内部に前記遮蔽ベルト部を通すようにすることによって、前記遮蔽ベルト部の走行を妨げずに前記レール基部上にレール部を安定的に保持することが可能となり、さらに、前記レール基部に形成された作業用の開孔を通して前記遮蔽ベルト部の組み立て作業や分解作業を円滑に行うことが可能となる。
【００３０】
【発明の実施の形態】
以下、本発明に係るトレーニング装置の座席部構造の実施形態について、図１乃至図６を参照して説明する。
【００３１】
なあお、従来と基本的構成の同一もしくはこれに類する箇所については、同一の符号を用いて説明する。
【００３２】
図１は、本実施形態におけるトレーニング装置の座席部構造を備えたリカンベント型のトレーニング装置２０を示したものである。
【００３３】
このトレーニング装置２０は、従来と同様に、トレーニング装置の底部となるベース部２上における前脚部３の側に、駆動部７を有しており、この駆動部７には、ペダル４をはじめとして、このペダル４に負荷を付与する図示しない負荷装置や、走行距離等の情報を表示可能とされた表示器５が配設されている。また、使用者の乗降を補助する乗降補助ハンドル２１や、ドリンクホルダ２２が必要に応じて配設されるようになっている。
【００３４】
前記ベース部２上における後脚部９の側には、使用者が着座した状態で前記ペダル４を漕ぐための座席３１を備えた座席部２３が配設されている。この座席部２３には、運動中に使用者が把持するための運動補助ハンドル３０が配設されている。
【００３５】
また、前記駆動部１０と前記座席部２３との間には、使用者の乗降を容易ならしめるための空間部１２が形成されている。
【００３６】
図２は、前記座席部２３における外装カバー２５の内部のフレーム構造を示したものである。図２に示すように、前記ベース部２上には、このベース部２の長手方向に所定の間隔を設けるようにして一対の座席取付用フレーム２６，２７が立設されており、両座席取付用フレーム２６，２７のうち前記ペダル４に近傍する前方側すなわち図２における奥側の座席取付用フレーム２６は、後方側すなわち図２における手前側の座席取付用フレーム２７よりも寸法が短く形成されている。
【００３７】
そして、両座席取付用フレーム２６，２７の上には、ベース部２の長手方向に沿って長尺とされ、長手方向の両端部に開口部が形成された管状のレール基部２８が両座席取付用フレーム２６，２７に跨るように配設されており、このレール基部２８は、両座席取付用フレーム２６，２７の寸法差によって前方側が下方に傾いた状態になっている。
【００３８】
前記レール基部２８における上壁部２８ａの上面には、前記ベース部２の長手方向に沿って長尺なレール部２９が、前記レール基部２８に対して平行に取り付けられており、このレール部２９上には、このレール部２９に沿って座席３１を移動させるための摺動台座部３２が摺動自在に配設されている。
【００３９】
前記摺動台座部３２における前記座席３１に臨む図２の上面には、この摺動台座部３２に座席３１を連結するためのネジ穴等からなる複数の連結部３３が形成されている。そして、これら連結部３３に対して、図１に示す座席受け部３５側から、例えばボルト等の図示しない連結部材を螺合させることにより、前記摺動台座部３２に前記座席３１を連結することができるようになっている。
【００４０】
前記レール基部２８の上壁部２８ａにおける前記摺動台座部３２の移動領域内には、円形の孔からなる座席位置固定ピン挿入孔３６が、レール基部２８の長手方向に所定の間隔を設けて複数形成されている。
【００４１】
そして、前記座席位置固定ピン挿入孔３６に図示しない座席位置固定ピンを挿入することにより、この座席位置固定ピンに摺動台座部３２を当接させて、その摺動を規制することができるようになっている。この結果、摺動台座部３２に連結された座席３１の位置を固定することができるようになっている。
【００４２】
なお、前記座席位置固定ピンの具体的な構成については、例えば、図５に示すように、外力を付与することによって前記座席位置固定ピン挿入孔３６に対して遠近可能とされた座席位置固定レバー３７を、前記座席３１の底部に設け、この座席位置固定レバー３７の先端部に、前記座席位置固定ピンを形成するようにしてもよい。このようにすれば、使用者が座席位置固定レバー３７を作動させることによって座席３１の位置を簡便に調整することが可能となる。
【００４３】
図３に示すように、前記レール部２９の上部近傍には、断面コの字形状のレールカバー３８が、前記レール部２９を上方および側方から囲繞するように配設されている。
【００４４】
図４に示すように、前記レールカバー３８の上壁部３８ａにおける前記摺動台座部３２の連結部３３に対応する位置には、レールカバー３８の長手方向に長尺とされた長孔状の一対の開孔４０が形成されている。
【００４５】
そして、これら各開孔４０によって、前記レールカバー３８の下方に位置する摺動台座部３２と、上方に位置する座席３１との連結が許容され、かつ、摺動台座部３２に連結された座席３１によるレール部２９に沿った移動が許容されるようになっている。
【００４６】
なお、図５に示すように、前記レールカバー３８と座席３１との間に位置する外装カバー２５の上壁部２５ａにも、座席３１と摺動台座部３２との連結および座席３１の移動を許容するための長孔状の開孔４１が形成されている。なお、この開孔４１は、前記レールカバー３８の開孔４０よりも幅寸法が大きく形成されており、形成個数も図１においては１個となっている。
【００４７】
そして、本実施形態においては、図１および図５に示すように、前記外装カバー２５の内部における前記開孔４１に近傍する位置、すなわち、前記開孔４１が形成された前記外装カバー２５の上壁部２５ａと、前記レールカバー３８との間に、前記開孔４１を外装カバー２５の内側から遮蔽する遮蔽ベルト部４２が配設されている。
【００４８】
これにより、前記開孔４１が露出することによる弊害、すなわち、前記開孔４１を通した座席部内への衣服等の巻き込みや塵埃の吸入、装置の美観の粗悪化といった問題を解消することができるようになっている。
【００４９】
また、本実施形態において、前記遮蔽ベルト部４２は、前記摺動台座部３２にその一部を固定された環状に形成されている。さらに、前記レール部２９における前記座席３１の移動方向の両端部の外側には、円柱形状の一対のガイド部材４３が配設されており、これら各ガイド部材４３の外周に、前記遮蔽ベルト部４２が巻回保持されるようになっている。
【００５０】
すなわち、前記遮蔽ベルト部４２は、前記ガイド部材４３による折り返し部を境に上下に互いに対向する上側部分４２ａと下側部分４２ｂとを有するように配設されるようになっている。
【００５１】
ここで、前記遮蔽ベルト部４２と前記摺動台座部３２との固定構造についてさらに詳述すると、図５に示すように、前記遮蔽ベルト部４２における前記上側部分４２ａは、前記レールカバー３８の上壁部３８ａと前記座席受け部３５との間に配置されている。前記座席受け部３５の底壁部３５ａにおける前記摺動台座部３２の連結部３３に対応する位置には、前記摺動台座部３２に対する座席３１の連結を行うための図示しない貫通孔が形成されており、この貫通孔を通して前記底壁部３５ａの上から前記連結部３３の側へ前述した連結部材を螺進させることができるようになっている。さらに、前記底壁部３５ａにおける前記座席位置固定ピンに対応する位置には、この座席位置固定ピンによる前記座席位置固定ピン挿入孔３６への挿入を許容するための図示しない貫通孔が形成されている。また、前記座席受け部３５と、前記遮蔽ベルト部４２との間には、座席３１の固定を補強するための固定補強板４４が介在されている。前記固定補強板４４における前記連結部３３に対応する位置には、前記連結部材を貫通させる貫通孔４５が形成されている。また、前記固定補強板４４における前記座席位置固定ピンに対応する位置には、前記座席位置固定ピン挿入孔３６への前記座席位置固定ピンの挿入を許容する貫通孔４６が形成されている。さらに、図３に示すように、前記固定補強板４４に電装コードを通すための貫通孔４７を形成するようにしてもよい。
【００５２】
さらに、遮蔽ベルト部４２の前記上側部分４２ａにおける前記固定補強板４４の各貫通孔４５，４６，４７に対応する位置には、これら各貫通孔４５，４６，４７と同様の図示しない貫通孔が形成されている。これによって、遮蔽ベルト部４２における前記上側部分４２ａを、前記摺動台座部３２に部分的に固定することができるようになっている。
【００５３】
なお、前記遮蔽ベルト部４２における前記下側部分４２ｂは、前記レール基部２８の内部を通って前記レール部２９の下側に配置されるようになっている。
【００５４】
これにより、前記遮蔽ベルト部４２が、前記座席３１の移動にともなって前記開孔４１を遮蔽した状態を維持しつつ、前記レール部２９の外側を走行することができるようになっている。この結果、前記座席３１の移動に合わせて前記遮蔽ベルト部４２が最も効率的かつ自然な状態で開孔４１を遮蔽することができるようになっている。さらに、前記レール基部２８により、前記遮蔽ベルト部４２の走行を妨げない状態で前記レール部２９を下方から安定的に保持することができるようになっている。
【００５５】
なお、前記各ガイド部材４３における幅方向両端部に、図３に示すようなフランジ４９を形成するようにしてもよい。この場合、フランジ４９によって遮蔽ベルト部４２を幅方向の両端部側から安定的に保持することができるため、遮蔽ベルト部４２の蛇行を防止することができる。従って、遮蔽ベルト部４２に弛みが生じることを防止して、この遮蔽ベルト部４２による開孔４１の遮蔽を適正に行うことができ、併せて、弛んだ状態の遮蔽ベルト部４２によって装置の美観が害されることを防止することができる。
【００５６】
さらに、本実施形態においては、前記遮蔽ベルト部４２が、ベルト本体５０と、このベルト本体５０に張力を付与する付勢部材５１とを備えている。
【００５７】
これにより、付勢部材５１によって遮蔽ベルト部４２に張力を付与することができるため、前記開孔４１をさらに適正に遮蔽することができ、かつ、弛んだ状態の遮蔽ベルト部４２によって装置２０の美観が害されることを有効に防止することができるようになっている。
【００５８】
なお、前記付勢部材５１は、例えば、図６に示すように、長尺なベルト本体５０の両端部を互いに近傍させた状態で、これら両端部を連結するように両端部間に着脱可能に配設されたコイルバネであってもよい。
【００５９】
さらにまた、前記各ガイド部材４３の外周に、前記遮蔽ベルト部４２の走行を補助するための円筒形状の図示しない摺動部材を摺動自在に保持するようにしてもよい。
【００６０】
このようにすれば、遮蔽ベルト部４２の走行を円滑化することができるため、座席３１の移動にともなって前記遮蔽ベルト部４２によって前記開孔４１を更に適正に遮蔽することができ、かつ、前記遮蔽ベルト部４２の弛みを更に有効に防止して装置２０の美観をより良好に維持することができる。
【００６１】
なお、前記ベルト本体５０をゴム等の弾性を有する材料によって形成するようにしてもよい。このようにすれば、ベルト本体５０自身の弾性を利用して、より有効に遮蔽ベルト部４２を張力を有した状態に保持することができる。さらに、この場合、前記付勢部材５１を介さずとも遮蔽ベルト部４２に張力を付与することができるため、付勢部材５１を構成要素から除去し、遮蔽ベルト部を例えば弾性を有する材料からなる環状のベルトのみによって簡易かつ安価に構成することも可能となる。
【００６２】
また、本実施形態において、前記遮蔽ベルト部４２を構成する前記付勢部材５１は、前記ベルト本体５０への取り付けを容易に行い得る位置に配置されている。
【００６３】
すなわち、前記レール基部２８における底壁部２８ｂには、例えば、前記ベルト本体５０への前記付勢部材５１の取付作業等の前記遮蔽ベルト部４２の組み立て作業や前記付勢部材５１の取り外し作業等の分解作業を行うための作業用の開孔（図示せず）が形成されており、この開孔に対応する位置に、例えば、図６に示した付勢部材５１のような前記遮蔽ベルト部４２における環状の状態からの分解が可能な部位が位置されるようになっている。
【００６４】
これにより、前記作業用の開孔を通してベルト本体５０への付勢部材５１の取り付け等の遮蔽ベルト４２の組み立て作業や、あるいは、部品交換等の際における遮蔽ベルト４２の分解作業を容易に行うことができ、ひいては、トレーニング装置２０の組立工数を削減することができるようになっている。
【００６５】
次に、本実施形態におけるトレーニング装置の座席部構造の作用について説明する。
【００６６】
なお、初期状態において、前記座席３１に配設された座席位置固定ピンは、前記座席受け部３５および前記遮蔽ベルト部４２の上側部分４２ａを貫通して前記レール基部２８に形成された座席位置固定ピン挿入孔３６のうちの一つに挿入されているものとする。
【００６７】
この状態において、前記レール部２９上の前記摺動台座部３２の側面には、前記座席位置固定ピンが当接されており、これによって、摺動台座部３２によるレール部２９の摺動が規制されている。
【００６８】
従って、初期状態においては、前記摺動台座部３２に連結部材を介して連結された前記座席３１の移動が規制され、座席３１の位置が固定された状態になっている。
【００６９】
このとき、前記開孔４１が形成された外装カバー２５における上壁部２５ａの内側には、前記遮蔽ベルト部４２の上側部分４２ａが位置されており、開孔４１が外装カバー２５の内側から遮蔽された状態になっている。
【００７０】
従って、この状態で使用者が座席３１に着座してペダル４の足漕ぎ運動を開始したとしても、開孔４１を通して座席部２３内に衣服や体の一部が巻き込まれることはなく、安全な運動を行うことができる。また、開孔４１を通して座席部２３内に塵埃が入ることを防止することができ、清掃ための労力を軽減することができる。さらに、開孔４１が露出することによって装置２０の美観が害されることを防止することができる。
【００７１】
そして、初期状態とは異なる位置に座席３１の位置を変更する場合は、前記座席位置固定レバー３７を解除することによってこの座席位置固定レバー３７の先端部に形成された前記座席位置固定ピンを座席位置固定ピン挿入孔３６から離脱させる。
【００７２】
これにより、前記摺動台座部３２に対する前記座席位置固定ピンの当接が解除され、前記摺動台座部３２によるレール部２９上の摺動が許容される。これにともなって、前記摺動台座部３２に連結された座席３１の移動も許容される。
【００７３】
そして、この状態から、前記座席３１を移動させると、この座席３１の移動にともなって前記摺動台座部３２が前記レール部２９上を摺動し、この摺動にともなって、前記摺動台座部３２に固定された前記遮蔽ベルト部４２が、前記レール部２９の外側を走行する。
【００７４】
このとき、遮蔽ベルト部４２は、一対のガイド部材４３によってその形状を保持され、かつ、付勢部材５１によって一定の張力を付与されているため、前記開孔４１の遮蔽状態を適正に維持することができる。
【００７５】
このような座席３１の移動動作は、通常、座席３１に使用者が着座した状態で行い得る場合が多く、そのような構成の装置の場合、衣服の巻き込み等による危険性は、特に、座席３１の移動の際に大きなものとなる。
【００７６】
しかし、本実施形態においては、座席３１の移動の際にも、遮蔽ベルト部４２によって前記開孔４１が適正に遮蔽されているため、座席移動時の巻き込みの危険性を有効に回避することができる。
【００７７】
そして、前記座席３１を所望の位置に移動させた後は、前記座席位置固定ピンを新たな座席位置固定ピン挿入孔３６に挿入することによって、移動完了後の位置に座席３１を固定する。
【００７８】
したがって、本実施形態によれば、外装カバー２５の内部に配設された遮蔽ベルト部４２によって、開孔４１を内側から遮蔽することができるため、開孔４１を通して座席部２３内に衣服等が巻き込まれることを防止して安全性を向上し、また、開孔４１を通して座席部２３内に塵埃が入ることを防止して清掃の労力を軽減し、さらに、開孔４１が露出することを防止して装置２０の美観を向上することができる。
【００７９】
なお、本発明は前記実施形態のものに限定されるものではなく、必要に応じて種々変更することが可能である。
【００８０】
例えば、前記レールカバー３８に形成された開孔４０の数は、一対とは限らないが、図４に示したように、レールカバー３８の上壁部３８ａに、開孔４０の非形成領域を設けるようにすれば、この上壁部３８ａによって遮蔽ベルト部４２を下方から保持することができ、座席３１の圧力による遮蔽ベルト部４２の撓みを防止することが可能である。
【００８１】
また、本発明は、例えば、脚力を鍛える筋力トレーニング装置のように、着座した状態で運動を行うトレーニング装置であれば、図１に示した構成以外のものにも応用し得るものである。
【００８２】
【発明の効果】
以上述べたように本発明に係るトレーニング装置の座席部構造によれば、安全性、清掃性および美観に優れたトレーニング装置を実現することができる。
【図面の簡単な説明】
【図１】本発明に係るトレーニング装置の座席部構造の実施形態において、座席部構造を備えたリカンベント型のトレーニング装置を示した斜視図
【図２】本発明に係るトレーニング装置の座席部構造の実施形態において、座席を移動するためのレール部および摺動台座部の構成を示した斜視図
【図３】本発明に係るトレーニング装置の座席部構造の実施形態において、遮蔽ベルト部の構成を示した斜視図
【図４】本発明に係るトレーニング装置の座席部構造の実施形態において、外装カバーの内部および外装カバーの上部に位置する座席の構成を示した斜視図
【図５】本発明に係るトレーニング装置の座席部構造の実施形態において、外装カバーの内部および座席の構成を示した斜視図
【図６】本発明に係るトレーニング装置の座席部構造の実施形態において、遮蔽ベルト部の構成を部分的に示した概略図
【図７】従来から採用されているリカンベント型のトレーニング装置の一例を示した概略側面図
【符号の説明】
２０　トレーニング装置
２３　座席部
２５　外装カバー
２５ａ　上壁部
２９　レール部
３１　座席
３２　摺動台座部
４１　開孔
４２　遮蔽ベルト部
４３　ガイド部材
５０　ベルト本体
５１　付勢部材
【図１】
2004113410.tif 000003
【図２】
2004113410.tif 000004
【図３】
2004113410.tif 000005
【図４】
2004113410.tif 000006
【図５】
2004113410.tif 000007
【図６】
2004113410.tif 000008
【図７】
2004113410.tif 000009